【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
ユーザの関係を示すユーザ間プロファイルを作成するユーザ間プロファイル作成手段を備え、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっていることを特徴とするユーザ間プロファイル作成システム。
【請求項２】
請求項１において、前記ユーザ間プロファイル作成手段は、第１のユーザに係る第１ユーザプロファイル及び第２のユーザに係る第２ユーザプロファイルを前記ユーザプロファイル記憶手段から読み出し、読み出した第１ユーザプロファイル及び第２ユーザプロファイルに基づいて、前記第１のユーザと前記第２のユーザとの関係を示すユーザ間プロファイルを作成するようになっていることを特徴とするユーザ間プロファイル作成システム。
【請求項３】
請求項２において、前記ユーザプロファイルに含まれる各項目について情報の抽出を許可するか否かが設定可能であり、前記ユーザ間プロファイル作成手段は、前記第１ユーザプロファイル及び前記第２ユーザプロファイルの項目のうち抽出が許可されているものからユーザ情報を抽出し、抽出したユーザ情報に基づいて前記ユーザ間プロファイルを作成するようになっていることを特徴とするユーザ間プロファイル作成システム。
【請求項４】
請求項２及び３のいずれかにおいて、前記ユーザプロファイルから前記ユーザ間プロファイルを作成する作成規則が設定可能であり、前記ユーザ間プロファイル作成手段は、前記第１ユーザプロファイル、前記第２ユーザプロファイル及び前記作成規則に基づいて前記ユーザ間プロファイルを作成するようになっていることを特徴とするユーザ間プロファイル作成システム。
【請求項５】
請求項４において、前記作成規則は、前記ユーザプロファイルから情報を抽出する抽出規則を含み、且つ、前記各ユーザプロファイルごとに設定可能であり、前記ユーザ間プロファイル作成手段は、前記第１ユーザプロファイルの抽出規則に基づいて前記第１ユーザプロファイルからユーザ情報を抽出し、前記第２ユーザプロファイルの抽出規則に基づいて前記第２ユーザプロファイルからユーザ情報を抽出し、抽出したユーザ情報に基づいて前記ユーザ間プロファイルを作成するようになっていることを特徴とするユーザ間プロファイル作成システム。
【請求項６】
請求項２乃至５のいずれかにおいて、前記第１ユーザプロファイル又は前記第２ユーザプロファイルが更新されたことを検出する更新検出手段を備え、前記ユーザ間プロファイル作成手段は、前記更新検出手段で更新を検出したときは、前記ユーザ間プロファイルを再作成するようになっていることを特徴とするユーザ間プロファイル作成システム。
【請求項７】
ユーザの関係を示すユーザ間プロファイルを作成するユーザ間プロファイル作成手段と、前記ユーザ間プロファイル作成手段で作成したユーザ間プロファイルに基づいてディジタルコンテンツの出力レイアウトを決定して出力用ディジタルコンテンツを作成するコンテンツ作成手段とを備えるシステムであって、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっていることを特徴とするディジタルコンテンツ作成システム。
【請求項８】
請求項７において、前記ディジタルコンテンツを記憶するためのコンテンツ記憶手段と、前記コンテンツ記憶手段のなかから前記ディジタルコンテンツを選択するコンテンツ選択手段とを備え、前記コンテンツ選択手段は、前記ユーザ間プロファイル作成手段で作成したユーザ間プロファイルに基づいて、前記コンテンツ記憶手段のなかから前記ディジタルコンテンツを選択し、前記コンテンツ作成手段は、前記ユーザ間プロファイル作成手段で作成したユーザ間プロファイルに基づいて、前記コンテンツ選択手段で選択したディジタルコンテンツの出力レイアウトを決定して出力用ディジタルコンテンツを作成するようになっていることを特徴とするディジタルコンテンツ作成システム。
【請求項９】
ユーザの関係を示すユーザ間プロファイルを作成するユーザ間プロファイル作成手段と、ディジタルコンテンツを記憶するためのコンテンツ記憶手段と、前記ユーザ間プロファイル作成手段で作成したユーザ間プロファイルに基づいて前記コンテンツ記憶手段のなかから前記ディジタルコンテンツを選択するコンテンツ選択手段と、前記コンテンツ選択手段で選択したディジタルコンテンツの出力レイアウトを決定して出力用ディジタルコンテンツを作成するコンテンツ作成手段とを備えるシステムであって、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっていることを特徴とするディジタルコンテンツ作成システム。
【請求項１０】
請求項９において、前記コンテンツ作成手段は、前記ユーザ間プロファイル作成手段で作成したユーザ間プロファイルに基づいて、前記コンテンツ選択手段で選択したディジタルコンテンツの出力レイアウトを決定して出力用ディジタルコンテンツを作成するようになっていることを特徴とするディジタルコンテンツ作成システム。
【請求項１１】
請求項８及び１０のいずれかにおいて、前記ユーザ間プロファイル作成手段は、第１のユーザに係る第１ユーザプロファイル及び第２のユーザに係る第２ユーザプロファイルを前記ユーザプロファイル記憶手段から読み出し、読み出した第１ユーザプロファイル及び第２ユーザプロファイルに基づいて、前記第１のユーザと前記第２のユーザとの関係を示すユーザ間プロファイルを作成するようになっていることを特徴とするディジタルコンテンツ作成システム。
【請求項１２】
請求項１１において、前記ユーザプロファイルに含まれる各項目について情報の抽出を許可するか否かが設定可能であり、前記ユーザ間プロファイル作成手段は、前記第１ユーザプロファイル及び前記第２ユーザプロファイルの項目のうち抽出が許可されているものからユーザ情報を抽出し、抽出したユーザ情報に基づいて前記ユーザ間プロファイルを作成するようになっていることを特徴とするディジタルコンテンツ作成システム。
【請求項１３】
請求項１１及び１２のいずれかにおいて、前記ユーザプロファイルから前記ユーザ間プロファイルを作成する作成規則が設定可能であり、前記ユーザ間プロファイル作成手段は、前記第１ユーザプロファイル、前記第２ユーザプロファイル及び前記作成規則に基づいて前記ユーザ間プロファイルを作成するようになっていることを特徴とするディジタルコンテンツ作成システム。
【請求項１４】
請求項１３において、前記作成規則は、前記ユーザプロファイルから情報を抽出する抽出規則を含み、且つ、前記各ユーザプロファイルごとに設定可能であり、前記ユーザ間プロファイル作成手段は、前記第１ユーザプロファイルの抽出規則に基づいて前記第１ユーザプロファイルからユーザ情報を抽出し、前記第２ユーザプロファイルの抽出規則に基づいて前記第２ユーザプロファイルからユーザ情報を抽出し、抽出したユーザ情報に基づいて前記ユーザ間プロファイルを作成するようになっていることを特徴とするディジタルコンテンツ作成システム。
【請求項１５】
請求項１１乃至１４のいずれかにおいて、前記第１ユーザプロファイル又は前記第２ユーザプロファイルが更新されたことを検出する更新検出手段を備え、前記ユーザ間プロファイル作成手段は、前記更新検出手段で更新を検出したときは、前記ユーザ間プロファイルを再作成するようになっていることを特徴とするディジタルコンテンツ作成システム。
【請求項１６】
プロファイル作成端末と、コンテンツ作成端末とを通信可能に接続したシステムであって、前記プロファイル作成端末は、ユーザの関係を示すユーザ間プロファイルを作成するユーザ間プロファイル作成手段を有し、前記コンテンツ作成端末は、前記プロファイル作成端末で作成したユーザ間プロファイルに基づいてディジタルコンテンツの出力レイアウトを決定して出力用ディジタルコンテンツを作成するコンテンツ作成手段を有し、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっていることを特徴とするディジタルコンテンツ作成システム。
【請求項１７】
プロファイル作成端末と、コンテンツ作成端末とを通信可能に接続したシステムであって、前記プロファイル作成端末は、ユーザの関係を示すユーザ間プロファイルを作成するユーザ間プロファイル作成手段を有し、前記コンテンツ作成端末は、ディジタルコンテンツを記憶するためのコンテンツ記憶手段と、前記ユーザ間プロファイル作成手段で作成したユーザ間プロファイルに基づいて前記コンテンツ記憶手段のなかから前記ディジタルコンテンツを選択するコンテンツ選択手段と、前記コンテンツ選択手段で選択したディジタルコンテンツの出力レイアウトを決定して出力用ディジタルコンテンツを作成するコンテンツ作成手段とを有し、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっていることを特徴とするディジタルコンテンツ作成システム。
【請求項１８】
コンピュータに実行させるためのプログラムであって、ユーザの関係を示すユーザ間プロファイルを作成するユーザ間プロファイル作成手段として実現される処理を実行させるためのプログラムであり、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっていることを特徴とするユーザ間プロファイル作成プログラム。
【請求項１９】
コンピュータに実行させるためのプログラムであって、ユーザの関係を示すユーザ間プロファイルを作成するユーザ間プロファイル作成手段、及び前記ユーザ間プロファイル作成手段で作成したユーザ間プロファイルに基づいて前記ディジタルコンテンツの出力レイアウトを決定して出力用ディジタルコンテンツを作成するコンテンツ作成手段として実現される処理を実行させるためのプログラムであり、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっていることを特徴とするディジタルコンテンツ作成プログラム。
【請求項２０】
コンピュータに実行させるためのプログラムであって、ユーザの関係を示すユーザ間プロファイルを作成するユーザ間プロファイル作成手段、前記ユーザ間プロファイル作成手段で作成したユーザ間プロファイルに基づいて前記コンテンツ記憶手段のなかから前記ディジタルコンテンツを選択するコンテンツ選択手段、及び前記コンテンツ選択手段で選択したディジタルコンテンツの出力レイアウトを決定して出力用ディジタルコンテンツを作成するコンテンツ作成手段として実現される処理を実行させるためのプログラムであり、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっていることを特徴とするディジタルコンテンツ作成プログラム。
【請求項２１】
ユーザの関係を示すユーザ間プロファイルを作成するユーザ間プロファイル作成ステップを含み、前記ユーザ間プロファイル作成ステップは、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成することを特徴とするユーザ間プロファイル作成方法。
【請求項２２】
ユーザの関係を示すユーザ間プロファイルを作成するユーザ間プロファイル作成ステップと、前記ユーザ間プロファイル作成ステップで作成したユーザ間プロファイルに基づいて前記ディジタルコンテンツの出力レイアウトを決定して出力用ディジタルコンテンツを作成するコンテンツ作成ステップとを含むシステムであって、前記ユーザ間プロファイル作成ステップは、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成することを特徴とするディジタルコンテンツ作成方法。
【請求項２３】
ユーザの関係を示すユーザ間プロファイルを作成するユーザ間プロファイル作成ステップと、前記ユーザ間プロファイル作成手段で作成したユーザ間プロファイルに基づいてコンテンツ記憶手段のなかから前記ディジタルコンテンツを選択するコンテンツ選択ステップと、前記コンテンツ選択ステップで選択したディジタルコンテンツの出力レイアウトを決定して出力用ディジタルコンテンツを作成するコンテンツ作成ステップとを含むシステムであって、  前記ユーザ間プロファイル作成ステップは、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成することを特徴とするディジタルコンテンツ作成方法。
【手続補正２】
【補正対象書類名】明細書
【補正対象項目名】０００９
【補正方法】変更
【補正の内容】
【０００９】
【課題を解決するための手段】
〔発明１〕上記目的を達成するために、発明１のユーザ間プロファイル作成システムは、ユーザの関係を示すユーザ間プロファイルを作成するユーザ間プロファイル作成手段を備え、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっている。
【手続補正３】
【補正対象書類名】明細書
【補正対象項目名】００１０
【補正方法】変更
【補正の内容】
【００１０】
このような構成であれば、ユーザ間プロファイル作成手段により、複数のユーザプロファイルがユーザプロファイル記憶手段から読み出され、読み出されたユーザプロファイルに基づいて、それらユーザプロファイルに係るユーザの関係を示すユーザ間プロファイルが作成される。ここで、ユーザプロファイル記憶手段は、本システムが備えるものであってもよいし、本システムが利用可能に接続する外部装置が備えるものであってもよい。後者の場合、外部装置としては、例えばユーザの端末がこれに該当する。以下、発明７、９、１６及び１７のディジタルコンテンツ作成システム、発明１８のユーザ間プロファイル作成プログラム、発明１９及び２０のディジタルコンテンツ作成プログラム、発明２１のユーザ間プロファイル作成方法、並びに発明２２及び２３のディジタルコンテンツ作成方法において同じである。さらに、ユーザ間プロファイルに基づいて何らかの処理を行うときは、ユーザ間プロファイルを前もって作成しておけば、処理速度を向上することができるという効果も得られる。
【手続補正４】
【補正対象書類名】明細書
【補正対象項目名】００１１
【補正方法】変更
【補正の内容】
【００１１】
また、本システムは、単一の装置として実現するようにしてもよいし、複数の端末を通信可能に接続したネットワークシステムとして実現するようにしてもよい。後者の場合、各構成要素は、それぞれ通信可能に接続されていれば、複数の端末のうちどの端末に属していてもよい。以下、発明７、９、１６及び１７のディジタルコンテンツ作成システム、発明１８のユーザ間プロファイル作成プログラム、発明１９及び２０のディジタルコンテンツ作成プログラム、発明２１のユーザ間プロファイル作成方法、並びに発明２２及び２３のディジタルコンテンツ作成方法において同じである。
【手続補正５】
【補正対象書類名】明細書
【補正対象項目名】００１２
【補正方法】変更
【補正の内容】
【００１２】
〔発明２〕さらに、発明２のユーザ間プロファイル作成システムは、発明１のユーザ間プロファイル作成システムにおいて、前記ユーザ間プロファイル作成手段は、第１のユーザに係る第１ユーザプロファイル及び第２のユーザに係る第２ユーザプロファイルを前記ユーザプロファイル記憶手段から読み出し、読み出した第１ユーザプロファイル及び第２ユーザプロファイルに基づいて、前記第１のユーザと前記第２のユーザとの関係を示すユーザ間プロファイルを作成するようになっている。
【手続補正６】
【補正対象書類名】明細書
【補正対象項目名】００１３
【補正方法】変更
【補正の内容】
【００１３】
このような構成であれば、ユーザ間プロファイル作成手段により、第１ユーザプロファイル及び第２ユーザプロファイルがユーザプロファイル記憶手段から読み出され、読み出された第１ユーザプロファイル及び第２ユーザプロファイルに基づいて、第１のユーザと第２のユーザとの関係を示すユーザ間プロファイルが作成される。従って発明２のユーザ間プロファイル作成システムによれば、作成されたユーザ間プロファイルには、第１のユーザと第２のユーザとの関係が示されているので、ユーザ間プロファイルを使用すれば、第１のユーザと第２のユーザとの関係を考慮した有用なサービスを提供することができるという効果も得られる。
【手続補正７】
【補正対象書類名】明細書
【補正対象項目名】００１４
【補正方法】変更
【補正の内容】
【００１４】
〔発明３〕さらに、発明３のユーザ間プロファイル作成システムは、発明２のユーザ間プロファイル作成システムにおいて、前記ユーザプロファイルに含まれる各項目について情報の抽出を許可するか否かが設定可能であり、前記ユーザ間プロファイル作成手段は、前記第１ユーザプロファイル及び前記第２ユーザプロファイルの項目のうち抽出が許可されているものからユーザ情報を抽出し、抽出したユーザ情報に基づいて前記ユーザ間プロファイルを作成するようになっている。
【手続補正８】
【補正対象書類名】明細書
【補正対象項目名】００１５
【補正方法】変更
【補正の内容】
【００１５】
このような構成であれば、ユーザ間プロファイル作成手段により、第１ユーザプロファイル及び第２ユーザプロファイルの項目のうち抽出が許可されているものからユーザ情報が抽出され、抽出されたユーザ情報に基づいてユーザ間プロファイルが作成される。そのため、個人情報が漏洩する可能性が低減される効果も得られる。ここで、抽出を許可するか否かは、ユーザプロファイルのなかで設定できるようにしてもよいし、ユーザプロファイルとは別の管理テーブル等で設定できるようにしてもよい。以下、発明１２のディジタルコンテンツ作成システムにおいても同じである。
【手続補正９】
【補正対象書類名】明細書
【補正対象項目名】００１６
【補正方法】変更
【補正の内容】
【００１６】
〔発明４〕さらに、発明４のユーザ間プロファイル作成システムは、発明２及び３のいずれかのユーザ間プロファイル作成システムにおいて、前記ユーザプロファイルから前記ユーザ間プロファイルを作成する作成規則が設定可能であり、前記ユーザ間プロファイル作成手段は、前記第１ユーザプロファイル、前記第２ユーザプロファイル及び前記作成規則に基づいて前記ユーザ間プロファイルを作成するようになっている。
【手続補正１０】
【補正対象書類名】明細書
【補正対象項目名】００１７
【補正方法】変更
【補正の内容】
【００１７】
このような構成であれば、ユーザ間プロファイル作成手段により、第１ユーザプロファイル、第２ユーザプロファイル及び作成規則に基づいてユーザ間プロファイルが作成される。従って、発明４のユーザ間プロファイル作成システムによれば、作成規則の設定によって内容の異なるユーザ間プロファイルを作成することができるので、用途に応じたユーザ間プロファイルを作成することができるという効果も得られる。
〔発明５〕さらに、発明５のユーザ間プロファイル作成システムは、発明４のユーザ間プロファイル作成システムにおいて、前記作成規則は、前記ユーザプロファイルから情報を抽出する抽出規則を含み、且つ、前記各ユーザプロファイルごとに設定可能であり、前記ユーザ間プロファイル作成手段は、前記第１ユーザプロファイルの抽出規則に基づいて前記第１ユーザプロファイルからユーザ情報を抽出し、前記第２ユーザプロファイルの抽出規則に基づいて前記第２ユーザプロファイルからユーザ情報を抽出し、抽出したユーザ情報に基づいて前記ユーザ間プロファイルを作成するようになっている。
【手続補正１１】
【補正対象書類名】明細書
【補正対象項目名】００１８
【補正方法】変更
【補正の内容】
【００１８】
このような構成であれば、ユーザ間プロファイル作成手段により、第１ユーザプロファイルの抽出規則に基づいて第１ユーザプロファイルからユーザ情報が抽出され、第２ユーザプロファイルの抽出規則に基づいて第２ユーザプロファイルからユーザ情報が抽出される。そして、抽出されたユーザ情報に基づいてユーザ間プロファイルが作成される。従って、発明５のユーザ間プロファイル作成システムによれば、抽出規則に基づいてユーザプロファイルからユーザ情報が抽出されるので、個人情報が漏洩する可能性をさらに低減することができるという効果も得られる。また、ユーザプロファイルが利用されることについて、ユーザの意図を比較的詳細に反映させることができるという効果も得られる。
【手続補正１２】
【補正対象書類名】明細書
【補正対象項目名】００１９
【補正方法】変更
【補正の内容】
【００１９】
ここで、抽出規則は、ユーザプロファイルのなかで設定できるようにしてもよいし、ユーザプロファイルとは別の管理テーブル等で設定できるようにしてもよい。以下、発明１４のディジタルコンテンツ作成システムにおいて同じである。
〔発明６〕さらに、発明６のユーザ間プロファイル作成システムは、発明２乃至５のいずれかのユーザ間プロファイル作成システムにおいて、前記第１ユーザプロファイル又は前記第２ユーザプロファイルが更新されたことを検出する更新検出手段を備え、前記ユーザ間プロファイル作成手段は、前記更新検出手段で更新を検出したときは、前記ユーザ間プロファイルを再作成するようになっている。
【手続補正１３】
【補正対象書類名】明細書
【補正対象項目名】００２０
【補正方法】変更
【補正の内容】
【００２０】
このような構成であれば、第１ユーザプロファイル又は第２ユーザプロファイルが更新されると、更新検出手段により、更新されたことが検出される。更新が検出されると、ユーザ間プロファイル作成手段により、ユーザ間プロファイルが再作成される。従って、発明６のユーザ間プロファイル作成システムによれば、ユーザ間プロファイルの内容を比較的新しいものとして維持することができるという効果も得られる。
〔発明７〕一方、上記目的を達成するために、発明７のディジタルコンテンツ作成システムは、ユーザの関係を示すユーザ間プロファイルを作成するユーザ間プロファイル作成手段と、前記ユーザ間プロファイル作成手段で作成したユーザ間プロファイルに基づいてディジタルコンテンツの出力レイアウトを決定して出力用ディジタルコンテンツを作成するコンテンツ作成手段とを備えるシステムであって、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっている。
【手続補正１４】
【補正対象書類名】明細書
【補正対象項目名】００２１
【補正方法】変更
【補正の内容】
【００２１】
このような構成であれば、ユーザ間プロファイル作成手段により、複数のユーザプロファイルがユーザプロファイル記憶手段から読み出され、読み出されたユーザプロファイルに基づいて、それらユーザプロファイルに係るユーザの関係を示すユーザ間プロファイルが作成される。そして、コンテンツ作成手段により、作成されたユーザ間プロファイルに基づいて、ディジタルコンテンツの出力レイアウトが決定されて出力用ディジタルコンテンツが作成される。従って発明７のディジタルコンテンツ作成システムによれば、作成されたユーザ間プロファイルには、複数のユーザ相互の関係が示されているので、ユーザ相互の関係を考慮したレイアウトサービスを提供することができるという効果が得られる。また、レイアウトサービスの提供にユーザプロファイルを使用しなくて済むので、従来に比して、個人情報が漏洩する可能性を低減することができるという効果も得られる。さらに、ユーザ間プロファイルに基づいてレイアウト決定処理を行うときは、ユーザ間プロファイルを前もって作成しておけば、処理速度を向上することができるという効果も得られる。
【手続補正１５】
【補正対象書類名】明細書
【補正対象項目名】００２２
【補正方法】変更
【補正の内容】
【００２２】
ここで、出力レイアウトとは、例えば、画面上に表示することを目的として出力用ディジタルコンテンツを作成する場合にはその表示レイアウトを、紙面上に印刷することを目的として出力用ディジタルコンテンツを作成する場合にはその印刷レイアウトをいう。以下、発明９、１６及び１７のディジタルコンテンツ作成システム、発明１９及び２０のディジタルコンテンツ作成プログラム、並びに発明２２及び２３のディジタルコンテンツ作成方法において同じである。
【手続補正１６】
【補正対象書類名】明細書
【補正対象項目名】００２３
【補正方法】変更
【補正の内容】
【００２３】
〔発明８〕さらに、発明８のディジタルコンテンツ作成システムは、発明７のディジタルコンテンツ作成システムにおいて、前記ディジタルコンテンツを記憶するためのコンテンツ記憶手段と、前記コンテンツ記憶手段のなかから前記ディジタルコンテンツを選択するコンテンツ選択手段とを備え、前記コンテンツ選択手段は、前記ユーザ間プロファイル作成手段で作成したユーザ間プロファイルに基づいて、前記コンテンツ記憶手段のなかから前記ディジタルコンテンツを選択し、前記コンテンツ作成手段は、前記ユーザ間プロファイル作成手段で作成したユーザ間プロファイルに基づいて、前記コンテンツ選択手段で選択したディジタルコンテンツの出力レイアウトを決定して出力用ディジタルコンテンツを作成するようになっている。
【手続補正１７】
【補正対象書類名】明細書
【補正対象項目名】００２４
【補正方法】変更
【補正の内容】
【００２４】
このような構成であれば、コンテンツ選択手段により、作成されたユーザ間プロファイルに基づいて、コンテンツ記憶手段のなかからディジタルコンテンツが選択され、コンテンツ作成手段により、作成されたユーザ間プロファイルに基づいて、選択されたディジタルコンテンツの出力レイアウトが決定されて出力用ディジタルコンテンツが作成される。従って、発明８のディジタルコンテンツ作成システムによれば、作成されたユーザ間プロファイルには、複数のユーザ相互の関係が示されているので、ユーザ相互の関係を考慮したコンテンツ選択サービス及びレイアウトサービスを提供することができるという効果も得られる。
【手続補正１８】
【補正対象書類名】明細書
【補正対象項目名】００２５
【補正方法】変更
【補正の内容】
【００２５】
ここで、コンテンツ記憶手段は、ディジタルコンテンツをあらゆる手段で且つあらゆる時期に記憶するものであり、ディジタルコンテンツを予め記憶してあるものであってもよいし、ディジタルコンテンツを予め記憶することなく、本システムの動作時に外部からの入力等によってディジタルコンテンツを記憶するようになっていてもよい。以下、発明９及び１７のディジタルコンテンツ作成システム、発明２０のディジタルコンテンツ作成プログラム、並びに発明２３のディジタルコンテンツ作成方法において同じである。
【手続補正１９】
【補正対象書類名】明細書
【補正対象項目名】００２６
【補正方法】変更
【補正の内容】
【００２６】
〔発明９〕さらに、発明９のディジタルコンテンツ作成システムは、ユーザの関係を示すユーザ間プロファイルを作成するユーザ間プロファイル作成手段と、ディジタルコンテンツを記憶するためのコンテンツ記憶手段と、前記ユーザ間プロファイル作成手段で作成したユーザ間プロファイルに基づいて前記コンテンツ記憶手段のなかから前記ディジタルコンテンツを選択するコンテンツ選択手段と、前記コンテンツ選択手段で選択したディジタルコンテンツの出力レイアウトを決定して出力用ディジタルコンテンツを作成するコンテンツ作成手段とを備えるシステムであって、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっている。
【手続補正２０】
【補正対象書類名】明細書
【補正対象項目名】００２７
【補正方法】変更
【補正の内容】
【００２７】
このような構成であれば、ユーザ間プロファイル作成手段により、複数のユーザプロファイルがユーザプロファイル記憶手段から読み出され、読み出されたユーザプロファイルに基づいて、それらユーザプロファイルに係るユーザの関係を示すユーザ間プロファイルが作成される。そして、コンテンツ選択手段により、作成されたユーザ間プロファイルに基づいて、コンテンツ記憶手段のなかからディジタルコンテンツが選択され、コンテンツ作成手段により、ディジタルコンテンツの出力レイアウトが決定されて出力用ディジタルコンテンツが作成される。従って、発明９のディジタルコンテンツ作成システムによれば、作成されたユーザ間プロファイルには、複数のユーザ相互の関係が示されているので、ユーザ相互の関係を考慮したコンテンツ選択サービスを提供することができるという効果が得られる。また、コンテンツ選択サービスの提供にユーザプロファイルを使用しなくて済むので、従来に比して、個人情報が漏洩する可能性を低減することができるという効果も得られる。さらに、ユーザ間プロファイルに基づいてコンテンツ選択処理を行うときは、ユーザ間プロファイルを前もって作成しておけば、処理速度を向上することができるという効果も得られる。
【手続補正２１】
【補正対象書類名】明細書
【補正対象項目名】００２８
【補正方法】変更
【補正の内容】
【００２８】
〔発明１０〕さらに、発明１０記載のディジタルコンテンツ作成システムは、発明９のディジタルコンテンツ作成システムにおいて、前記コンテンツ作成手段は、前記ユーザ間プロファイル作成手段で作成したユーザ間プロファイルに基づいて、前記コンテンツ選択手段で選択したディジタルコンテンツの出力レイアウトを決定して出力用ディジタルコンテンツを作成するようになっている。
【手続補正２２】
【補正対象書類名】明細書
【補正対象項目名】００２９
【補正方法】変更
【補正の内容】
【００２９】
このような構成であれば、コンテンツ作成手段により、作成されたユーザ間プロファイルに基づいて、選択されたディジタルコンテンツの出力レイアウトが決定されて出力用ディジタルコンテンツが作成される。従って、発明１０のディジタルコンテンツ作成システムによれば、作成されたユーザ間プロファイルには、複数のユーザ相互の関係が示されているので、ユーザ相互の関係を考慮したコンテンツ選択サービス及びレイアウトサービスを提供することができるという効果も得られる。
〔発明１１〕さらに、発明１１のディジタルコンテンツ作成システムは、発明８及び１０のいずれかのディジタルコンテンツ作成システムにおいて、前記ユーザ間プロファイル作成手段は、第１のユーザに係る第１ユーザプロファイル及び第２のユーザに係る第２ユーザプロファイルを前記ユーザプロファイル記憶手段から読み出し、読み出した第１ユーザプロファイル及び第２ユーザプロファイルに基づいて、前記第１のユーザと前記第２のユーザとの関係を示すユーザ間プロファイルを作成するようになっている。
【手続補正２３】
【補正対象書類名】明細書
【補正対象項目名】００３０
【補正方法】変更
【補正の内容】
【００３０】
このような構成であれば、ユーザ間プロファイル作成手段により、第１ユーザプロファイル及び第２ユーザプロファイルがユーザプロファイル記憶手段から読み出され、読み出された第１ユーザプロファイル及び第２ユーザプロファイルに基づいて、第１のユーザと第２のユーザとの関係を示すユーザ間プロファイルが作成される。従って、発明１１のディジタルコンテンツ作成システムによれば、作成されたユーザ間プロファイルには、第１のユーザと第２のユーザとの関係が示されているので、第１のユーザと第２のユーザとの関係を考慮したコンテンツ選択サービス及びレイアウトサービスを提供することができるという効果も得られる。
【手続補正２４】
【補正対象書類名】明細書
【補正対象項目名】００３１
【補正方法】変更
【補正の内容】
【００３１】
〔発明１２〕さらに、発明１２のディジタルコンテンツ作成システムは、発明１１のディジタルコンテンツ作成システムにおいて、前記ユーザプロファイルに含まれる各項目について情報の抽出を許可するか否かが設定可能であり、前記ユーザ間プロファイル作成手段は、前記第１ユーザプロファイル及び前記第２ユーザプロファイルの項目のうち抽出が許可されているものからユーザ情報を抽出し、抽出したユーザ情報に基づいて前記ユーザ間プロファイルを作成するようになっている。
【手続補正２５】
【補正対象書類名】明細書
【補正対象項目名】００３２
【補正方法】変更
【補正の内容】
【００３２】
このような構成であれば、ユーザ間プロファイル作成手段により、第１ユーザプロファイル及び第２ユーザプロファイルの項目のうち抽出が許可されているものからユーザ情報が抽出され、抽出されたユーザ情報に基づいてユーザ間プロファイルが作成される。従って、発明１２のディジタルコンテンツ作成システムによれば、ユーザプロファイルの項目のうち抽出が許可されているものからのみユーザ情報が抽出されるので、個人情報が漏洩する可能性をさらに低減することができるという効果も得られる。
〔発明１３〕さらに、発明１３のディジタルコンテンツ作成システムは、発明１１及び１２のいずれかのディジタルコンテンツ作成システムにおいて、前記ユーザプロファイルから前記ユーザ間プロファイルを作成する作成規則が設定可能であり、前記ユーザ間プロファイル作成手段は、前記第１ユーザプロファイル、前記第２ユーザプロファイル及び前記作成規則に基づいて前記ユーザ間プロファイルを作成するようになっている。
【手続補正２６】
【補正対象書類名】明細書
【補正対象項目名】００３３
【補正方法】変更
【補正の内容】
【００３３】
このような構成であれば、ユーザ間プロファイル作成手段により、第１ユーザプロファイル、第２ユーザプロファイル及び作成規則に基づいてユーザ間プロファイルが作成される。従って、発明１３のディジタルコンテンツ作成システムによれば、作成規則の設定によって内容の異なるユーザ間プロファイルを作成することができるので、用途に応じたユーザ間プロファイルを作成することができるという効果も得られる。
〔発明１４〕さらに、発明１４のディジタルコンテンツ作成システムは、発明１３のディジタルコンテンツ作成システムにおいて、前記作成規則は、前記ユーザプロファイルから情報を抽出する抽出規則を含み、且つ、前記各ユーザプロファイルごとに設定可能であり、前記ユーザ間プロファイル作成手段は、前記第１ユーザプロファイルの抽出規則に基づいて前記第１ユーザプロファイルからユーザ情報を抽出し、前記第２ユーザプロファイルの抽出規則に基づいて前記第２ユーザプロファイルからユーザ情報を抽出し、抽出したユーザ情報に基づいて前記ユーザ間プロファイルを作成するようになっている。
【手続補正２７】
【補正対象書類名】明細書
【補正対象項目名】００３４
【補正方法】変更
【補正の内容】
【００３４】
このような構成であれば、ユーザ間プロファイル作成手段により、第１ユーザプロファイルの抽出規則に基づいて第１ユーザプロファイルからユーザ情報が抽出され、第２ユーザプロファイルの抽出規則に基づいて第２ユーザプロファイルからユーザ情報が抽出される。そして、抽出されたユーザ情報に基づいてユーザ間プロファイルが作成される。従って、発明１４のディジタルコンテンツ作成システムによれば、抽出規則に基づいてユーザプロファイルからユーザ情報が抽出されるので、個人情報が漏洩する可能性をさらに低減することができるという効果も得られる。また、ユーザプロファイルが利用されることについて、ユーザの意図を比較的詳細に反映させることができるという効果も得られる。
【手続補正２８】
【補正対象書類名】明細書
【補正対象項目名】００３５
【補正方法】変更
【補正の内容】
【００３５】
〔発明１５〕さらに、発明１５のディジタルコンテンツ作成システムは、発明１１乃至１４のいずれかのディジタルコンテンツ作成システムにおいて、前記第１ユーザプロファイル又は前記第２ユーザプロファイルが更新されたことを検出する更新検出手段を備え、前記ユーザ間プロファイル作成手段は、前記更新検出手段で更新を検出したときは、前記ユーザ間プロファイルを再作成するようになっている。
【手続補正２９】
【補正対象書類名】明細書
【補正対象項目名】００３６
【補正方法】変更
【補正の内容】
【００３６】
このような構成であれば、第１ユーザプロファイル又は第２ユーザプロファイルが更新されると、更新検出手段により、更新されたことが検出される。更新が検出されると、ユーザ間プロファイル作成手段により、ユーザ間プロファイルが再作成される。従って、発明１５のディジタルコンテンツ作成システムによれば、ユーザ間プロファイルの内容を比較的新しいものとして維持することができるという効果も得られる。
〔発明１６〕さらに、発明１６のディジタルコンテンツ作成システムは、プロファイル作成端末と、コンテンツ作成端末とを通信可能に接続したシステムであって、前記プロファイル作成端末は、ユーザの関係を示すユーザ間プロファイルを作成するユーザ間プロファイル作成手段を有し、前記コンテンツ作成端末は、前記プロファイル作成端末で作成したユーザ間プロファイルに基づいてディジタルコンテンツの出力レイアウトを決定して出力用ディジタルコンテンツを作成するコンテンツ作成手段を有し、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっている。
【手続補正３０】
【補正対象書類名】明細書
【補正対象項目名】００３７
【補正方法】変更
【補正の内容】
【００３７】
このような構成であれば、プロファイル作成端末では、ユーザ間プロファイル作成手段により、複数のユーザプロファイルがユーザプロファイル記憶手段から読み出され、読み出されたユーザプロファイルに基づいて、それらユーザプロファイルに係るユーザの関係を示すユーザ間プロファイルが作成される。コンテンツ作成端末では、コンテンツ作成手段により、作成されたユーザ間プロファイルに基づいて、ディジタルコンテンツの出力レイアウトが決定されて出力用ディジタルコンテンツが作成される。従って、発明１６のディジタルコンテンツ作成システムによれば、作成されたユーザ間プロファイルには、複数のユーザ相互の関係が示されているので、ユーザ相互の関係を考慮したレイアウトサービスを提供することができるという効果が得られる。また、コンテンツ作成端末では、レイアウトサービスの提供にユーザプロファイルを使用しなくて済むので、従来に比して、個人情報が漏洩する可能性を低減することができるという効果も得られる。
【手続補正３１】
【補正対象書類名】明細書
【補正対象項目名】００３８
【補正方法】変更
【補正の内容】
【００３８】
〔発明１７〕さらに、発明１７のディジタルコンテンツ作成システムは、プロファイル作成端末と、コンテンツ作成端末とを通信可能に接続したシステムであって、前記プロファイル作成端末は、ユーザの関係を示すユーザ間プロファイルを作成するユーザ間プロファイル作成手段を有し、前記コンテンツ作成端末は、ディジタルコンテンツを記憶するためのコンテンツ記憶手段と、前記ユーザ間プロファイル作成手段で作成したユーザ間プロファイルに基づいて前記コンテンツ記憶手段のなかから前記ディジタルコンテンツを選択するコンテンツ選択手段と、前記コンテンツ選択手段で選択したディジタルコンテンツの出力レイアウトを決定して出力用ディジタルコンテンツを作成するコンテンツ作成手段とを有し、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっている。
【手続補正３２】
【補正対象書類名】明細書
【補正対象項目名】００３９
【補正方法】変更
【補正の内容】
【００３９】
このような構成であれば、プロファイル作成端末では、ユーザ間プロファイル作成手段により、複数のユーザプロファイルがユーザプロファイル記憶手段から読み出され、読み出されたユーザプロファイルに基づいて、それらユーザプロファイルに係るユーザの関係を示すユーザ間プロファイルが作成される。コンテンツ作成端末では、コンテンツ選択手段により、作成されたユーザ間プロファイルに基づいて、コンテンツ記憶手段のなかからディジタルコンテンツが選択され、コンテンツ作成手段により、ディジタルコンテンツの出力レイアウトが決定されて出力用ディジタルコンテンツが作成される。従って、発明１７のディジタルコンテンツ作成システムによれば、作成されたユーザ間プロファイルには、複数のユーザ相互の関係が示されているので、ユーザ相互の関係を考慮したコンテンツ選択サービスを提供することができるという効果が得られる。また、コンテンツ作成端末では、コンテンツ選択サービスの提供にユーザプロファイルを使用しなくて済むので、従来に比して、個人情報が漏洩する可能性を低減することができるという効果も得られる。
【手続補正３３】
【補正対象書類名】明細書
【補正対象項目名】００４０
【補正方法】変更
【補正の内容】
【００４０】
〔発明１８〕一方、上記目的を達成するために、発明１８のユーザ間プロファイル作成プログラムは、コンピュータに実行させるためのプログラムであって、ユーザの関係を示すユーザ間プロファイルを作成するユーザ間プロファイル作成手段として実現される処理を実行させるためのプログラムであり、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっている。
【手続補正３４】
【補正対象書類名】明細書
【補正対象項目名】００４１
【補正方法】変更
【補正の内容】
【００４１】
このような構成であれば、ユーザ間プロファイル作成システムによってプログラムが読み取られ、読み取られたプログラムに従ってユーザ間プロファイル作成システムが処理を実行することにより、例えば作成されたユーザ間プロファイルには、複数のユーザ相互の関係が示されているので、ユーザ間プロファイルを使用すれば、ユーザ相互の関係を考慮した有用なサービスを提供することができるという効果が得られる。また、サービスの提供にユーザプロファイルを使用しなくて済むので、従来に比して、個人情報が漏洩する可能性を低減することができるという効果も得られる。さらに、ユーザ間プロファイルに基づいて何らかの処理を行うときは、ユーザ間プロファイルを前もって作成しておけば、処理速度を向上することができるという効果も得られる。
〔発明１９〕一方、上記目的を達成するために、発明１９のディジタルコンテンツ作成プログラムは、コンピュータに実行させるためのプログラムであって、ユーザの関係を示すユーザ間プロファイルを作成するユーザ間プロファイル作成手段、及び前記ユーザ間プロファイル作成手段で作成したユーザ間プロファイルに基づいて前記ディジタルコンテンツの出力レイアウトを決定して出力用ディジタルコンテンツを作成するコンテンツ作成手段として実現される処理を実行させるためのプログラムであり、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっている。
【手続補正３５】
【補正対象書類名】明細書
【補正対象項目名】００４２
【補正方法】変更
【補正の内容】
【００４２】
このような構成であれば、ユーザ間プロファイル作成システムによってプログラムが読み取られ、読み取られたプログラムに従ってユーザ間プロファイル作成システムが処理を実行することで、例えば作成されたユーザ間プロファイルには、複数のユーザ相互の関係が示されているので、ユーザ相互の関係を考慮したレイアウトサービスを提供することができるという効果が得られる。また、レイアウトサービスの提供にユーザプロファイルを使用しなくて済むので、従来に比して、個人情報が漏洩する可能性を低減することができるという効果も得られる。さらに、ユーザ間プロファイルに基づいてレイアウト決定処理を行うときは、ユーザ間プロファイルを前もって作成しておけば、処理速度を向上することができるという効果も得られる。
〔発明２０〕さらに、発明２０のディジタルコンテンツ作成プログラムは、コンピュータに実行させるためのプログラムであって、ユーザの関係を示すユーザ間プロファイルを作成するユーザ間プロファイル作成手段、前記ユーザ間プロファイル作成手段で作成したユーザ間プロファイルに基づいて前記コンテンツ記憶手段のなかから前記ディジタルコンテンツを選択するコンテンツ選択手段、及び前記コンテンツ選択手段で選択したディジタルコンテンツの出力レイアウトを決定して出力用ディジタルコンテンツを作成するコンテンツ作成手段として実現される処理を実行させるためのプログラムであり、前記ユーザ間プロファイル作成手段は、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成するようになっている
【手続補正３６】
【補正対象書類名】明細書
【補正対象項目名】００４３
【補正方法】変更
【補正の内容】
【００４３】
このような構成であれば、ユーザ間プロファイル作成システムによってプログラムが読み取られ、読み取られたプログラムに従ってユーザ間プロファイル作成システムが処理を実行することで、例えば作成されたユーザ間プロファイルには、複数のユーザ相互の関係が示されているので、ユーザ相互の関係を考慮したコンテンツ選択サービスを提供することができるという効果が得られる。また、コンテンツ選択サービスの提供にユーザプロファイルを使用しなくて済むので、従来に比して、個人情報が漏洩する可能性を低減することができるという効果も得られる。さらに、ユーザ間プロファイルに基づいてコンテンツ選択処理を行うときは、ユーザ間プロファイルを前もって作成しておけば、処理速度を向上することができるという効果も得られる。
〔発明２１〕一方、上記目的を達成するために、発明２１のユーザ間プロファイル作成方法は、ユーザの関係を示すユーザ間プロファイルを作成するユーザ間プロファイル作成ステップを含み、前記ユーザ間プロファイル作成ステップは、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成する。作成されたユーザ間プロファイルには、複数のユーザ相互の関係が示されているので、ユーザ間プロファイルを使用すれば、ユーザ相互の関係を考慮した有用なサービスを提供することができるという効果が得られる。また、サービスの提供にユーザプロファイルを使用しなくて済むので、従来に比して、個人情報が漏洩する可能性を低減することができるという効果も得られる。さらに、ユーザ間プロファイルに基づいて何らかの処理を行うときは、ユーザ間プロファイルを前もって作成しておけば、処理速度を向上することができるという効果も得られる。
【手続補正３７】
【補正対象書類名】明細書
【補正対象項目名】００４４
【補正方法】変更
【補正の内容】
【００４４】
〔発明２２〕一方、上記目的を達成するために、発明２２のディジタルコンテンツ作成方法は、ユーザの関係を示すユーザ間プロファイルを作成するユーザ間プロファイル作成ステップと、前記ユーザ間プロファイル作成ステップで作成したユーザ間プロファイルに基づいて前記ディジタルコンテンツの出力レイアウトを決定して出力用ディジタルコンテンツを作成するコンテンツ作成ステップとを含むシステムであって、前記ユーザ間プロファイル作成ステップは、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成する。作成されたユーザ間プロファイルには、複数のユーザ相互の関係が示されているので、ユーザ相互の関係を考慮したレイアウトサービスを提供することができるという効果が得られる。また、レイアウトサービスの提供にユーザプロファイルを使用しなくて済むので、従来に比して、個人情報が漏洩する可能性を低減することができるという効果も得られる。さらに、ユーザ間プロファイルに基づいてレイアウト決定処理を行うときは、ユーザ間プロファイルを前もって作成しておけば、処理速度を向上することができるという効果も得られる。
【手続補正３８】
【補正対象書類名】明細書
【補正対象項目名】００４５
【補正方法】変更
【補正の内容】
【００４５】
〔発明２３〕さらに、発明２３のディジタルコンテンツ作成方法は、ユーザの関係を示すユーザ間プロファイルを作成するユーザ間プロファイル作成ステップと、前記ユーザ間プロファイル作成手段で作成したユーザ間プロファイルに基づいてコンテンツ記憶手段のなかから前記ディジタルコンテンツを選択するコンテンツ選択ステップと、前記コンテンツ選択ステップで選択したディジタルコンテンツの出力レイアウトを決定して出力用ディジタルコンテンツを作成するコンテンツ作成ステップとを含むシステムであって、前記ユーザ間プロファイル作成ステップは、各ユーザごとにそのユーザに関するユーザプロファイルを記憶したユーザプロファイル記憶手段から複数のユーザプロファイルを読み出し、読み出したユーザプロファイルに基づいて、それらユーザプロファイルに係るユーザの関係を示すユーザ間プロファイルを作成する。作成されたユーザ間プロファイルには、複数のユーザ相互の関係が示されているので、ユーザ相互の関係を考慮したコンテンツ選択サービスを提供することができるという効果が得られる。また、コンテンツ選択サービスの提供にユーザプロファイルを使用しなくて済むので、従来に比して、個人情報が漏洩する可能性を低減することができるという効果も得られる。さらに、ユーザ間プロファイルに基づいてコンテンツ選択処理を行うときは、ユーザ間プロファイルを前もって作成しておけば、処理速度を向上することができるという効果も得られる。
【手続補正３９】
【補正対象書類名】明細書
【補正対象項目名】００８３
【補正方法】変更
【補正の内容】
【００８３】
これにより、抽出規則に基づいてユーザプロファイルからユーザ情報が抽出されるので、個人情報が漏洩する可能性をさらに低減することができる。また、ユーザプロファイルが利用されることについて、ユーザの意図を比較的詳細に反映させることができる。上記実施の形態において、ユーザ間プロファイル作成部１０４は、発明１乃至５、７乃至１４、１６乃至２０若しくは２３のユーザ間プロファイル作成手段、又は発明２１乃至２３のユーザ間プロファイル作成ステップに対応し、ユーザプロファイル記憶部１０６は、発明１、２、７、９、１１、１６乃至２３のユーザプロファイル記憶手段に対応している。また、コンテンツ配信端末２００は、発明１６又は１７のコンテンツ作成端末に対応し、コンテンツ選択部２０２は、発明８乃至１０、１７若しくは２０のコンテンツ選択手段、又は発明２３のコンテンツ選択ステップに対応し、レイアウト選択部２０６及びレイアウティング部２０８は、発明７乃至１０、１６、１７、１９若しくは２０のコンテンツ作成手段、又は発明２２若しくは２３記のコンテンツ作成ステップに対応している。
【手続補正４０】
【補正対象書類名】明細書
【補正対象項目名】００８４
【補正方法】変更
【補正の内容】
【００８４】
また、上記実施の形態において、コンテンツ記憶部３０４，５００は、発明８、９、１７、２０又は２３のコンテンツ記憶手段に対応している。
なお、上記実施の形態においては、発明の理解を容易にするため、ユーザＡがユーザＢにディジタルコンテンツを配信するという最小の構成を説明したが、これに限らず、ユーザＡがより多くのユーザにディジタルコンテンツを配信する場合その他の場合も同じ要領で行うことができる。すなわち、配信者とその相手方の組み合わせは、上記実施の形態のように１対１の場合のほか、１対多の場合、多対１の場合又は多対多の場合であってよい。特に、本発明は、同一の文章内容を多数の相手方に配信する場合には、各相手方ごとに、配信者とその相手方との関係を反映した内容・レイアウトとなるので、非常に好適である。
【手続補正４１】
【補正対象書類名】明細書
【補正対象項目名】００８６
【補正方法】変更
【補正の内容】
【００８６】
これにより、ユーザ間プロファイルの内容を比較的新しいものとして維持することができる。
この場合において、更新検出部は、発明６又は１５の更新検出手段に対応し、ユーザ間プロファイル作成部１０４は、発明６又は１５のユーザ間プロファイル作成手段に対応している。
【手続補正４２】
【補正対象書類名】明細書
【補正対象項目名】００９５
【補正方法】変更
【補正の内容】
【００９５】
【発明の効果】
以上説明したように、発明１のユーザ間プロファイル作成システムによれば、作成されたユーザ間プロファイルには、複数のユーザ相互の関係が示されているので、ユーザ間プロファイルを使用すれば、ユーザ相互の関係を考慮した有用なサービスを提供することができるという効果が得られる。また、従来に比して、個人情報が漏洩する可能性を低減することができるという効果も得られる。
【手続補正４３】
【補正対象書類名】明細書
【補正対象項目名】００９６
【補正方法】削除
【補正の内容】
【手続補正４４】
【補正対象書類名】明細書
【補正対象項目名】００９７
【補正方法】削除
【補正の内容】
【手続補正４５】
【補正対象書類名】明細書
【補正対象項目名】００９８
【補正方法】削除
【補正の内容】
【手続補正４６】
【補正対象書類名】明細書
【補正対象項目名】００９９
【補正方法】削除
【補正の内容】
【手続補正４７】
【補正対象書類名】明細書
【補正対象項目名】０１００
【補正方法】削除
【補正の内容】
【手続補正４８】
【補正対象書類名】明細書
【補正対象項目名】０１０１
【補正方法】削除
【補正の内容】
【手続補正４９】
【補正対象書類名】明細書
【補正対象項目名】０１０２
【補正方法】削除
【補正の内容】
【手続補正５０】
【補正対象書類名】明細書
【補正対象項目名】０１０３
【補正方法】削除
【補正の内容】
【手続補正５１】
【補正対象書類名】明細書
【補正対象項目名】０１０４
【補正方法】削除
【補正の内容】
【手続補正５２】
【補正対象書類名】明細書
【補正対象項目名】０１０５
【補正方法】削除
【補正の内容】
【手続補正５３】
【補正対象書類名】明細書
【補正対象項目名】０１０６
【補正方法】削除
【補正の内容】
【手続補正５４】
【補正対象書類名】明細書
【補正対象項目名】０１０７
【補正方法】削除
【補正の内容】
【手続補正５５】
【補正対象書類名】明細書
【補正対象項目名】０１０８
【補正方法】削除
【補正の内容】